(57)【特許請求の範囲】
【請求項１】
使用者が開脚した状態で座るための座板と、
前記使用者の座位状態において、使用者の身体の部位のうち少なくとも両膝を前記座板に対して位置決めし、該位置決めされた状態を保持するための位置決め手段と、
を備えており、
前記座板は、前記座位状態において、前記使用者が該座板の両端部を身体に向って湾曲させることが可能であり、該湾曲した状態において前記両膝が前記位置決め手段に固定されたときに、該使用者の両脚を開脚させる方向に付勢力が働くような可撓性を有しており、且つ、前記位置決め手段が取り付けられる第１の孔部、及び、前記使用者が把持することが可能な第２の孔部を有する、
健康運動器具。
【請求項２】
前記位置決め手段は、前記第１の孔部に挿通される長尺部材を含み、
前記第１の孔部は、前記座板において、前記使用者の座位状態における該使用者の体側に対向する端部に設けられており、
前記第２の孔部は、前記座板において、前記使用者の座位状態における該使用者の前方及び／又は後方に設けられており、
前記座板は、前記座位状態において、前記使用者が前記第２の孔部を把持して該座板を身体側に引き寄せるように湾曲させることが可能であり、該湾曲した状態において該使用者の上体が固定されたときに、該使用者の手腕が引っ張られる方向に付勢力が働くような可撓性を有する、
請求項１記載の健康運動器具。
【請求項３】
前記第１の孔部及び前記第２の孔部は、矩形状又は楕円状をなしており、該第１の孔部の長軸の延在方向と該第２の孔部の長軸の延在方向とが平行となるように設けられている、
請求項１又は２記載の健康運動器具。
【請求項４】
前記第１の孔部は、前記座位状態における前記使用者の脇側に対向する部位に、列状に複数設けられている、
請求項１〜３の何れか１項記載の健康運動器具。
【発明の詳細な説明】
【技術分野】
【０００１】
本発明は、健康の増進を図る運動器具（健康運動器具）に関する。
【背景技術】
【０００２】
従来の健康運動器具の一例として、特許文献１には、使用者が腰掛けるための平板状の座板と、その座板上に利用者が腰掛けた状態で、使用者の両脚が折り曲げられて両膝が外方に向けて挿入され、且つ、その状態を保持して両股関節を拡開するようにストレッチするための少なくとも一対の保持具（ベルト）とを備える股関節用のストレッチ器具が記載されている。
【先行技術文献】
【特許文献】
【０００３】
【特許文献１】特開２００７−２８３０１８号公報
【発明の概要】
【発明が解決しようとする課題】
【０００４】
上記従来のストレッチ器具では、座板の両端部に一対の保持具のベルトが設けられており、使用者は、そのベルトで形成される輪のなかに開脚した状態の両膝を挿入する。その際、ベルトには長さ調節用のアジャスターが取り付けられており、それによりベルトで形成される輪の大きさを変えることができる。これにより、座板に腰掛けた使用者が、両膝をその輪のなかに挿入し、股関節を拡開できる度合いに応じてベルトを適度に締め付けて両膝を固定することで、開脚状態が保持されて股関節のストレッチが行われる。
【０００５】
しかし、そのようなストレッチ器具では、使用者によるベルト長の調節のみでストレッチ強度（股関節の拡開の程度）が決定されるため、使用者が設定したベルトの締め付け度合いが緩かったり不十分であったりした場合、股関節に対するストレッチ効果が十分に得られないおそれがあった。逆に、この両膝をベルト固定する際に、股関節をできるだけ拡開させようとして無理をしてしまうと、股関節やその他の部位に過度な負荷がかかってしまい、関節や筋肉等を痛めてしまうおそれもある。
【０００６】
一方、特許文献１には、保持具を「少なくとも一対」設けることが記載されているが、その実施態様は具体的に記載されていない。そこで、特許文献１に記載されている内容から善解すれば、使用者の脚部の長さに応じて、保持具間の間隔が異なるように複数対の保持具を取り付ける形態が想起される。しかし、そのように構成したとしても、ストレッチ強度が使用者によるベルト長の調節具合のみによって決定されてしまうことに何ら変わりはないから、股関節に対するストレッチ効果が十分に得られないという不都合は解消されない。
【０００７】
さらに、更なる健康増進や運動後の疲労回復を早める観点からは、股関節のみではなく、股関節以外のストレッチを行うことも有効であるが、上記従来のストレッチ器具は、股関節のストレッチに特化したものであるため、汎用性に乏しいという欠点もあった。
【０００８】
そこで、本発明はかかる事情に鑑みてなされたものであり、股関節に対する十分なストレッチ効果を安全に得ることができ、且つ、汎用性にも優れ、これらにより、健康増進を更に図ることができる健康運動器具を提供することを目的とする。
【課題を解決するための手段】
【０００９】
上記課題を解決するために、本発明による健康運動器具は、使用者が開脚した状態で座るための座板と、使用者の座位状態において少なくとも両膝を座板に対して位置決めし、且つ、その位置決めされた状態を保持するための位置決め手段とを備えている。そして、本発明においては、座板が、可撓性を有しており、且つ、位置決め手段が取り付けられる第１の孔部、及び、使用者が把持することが可能な第２の孔部を有する。
【００１０】
このように構成された健康運動器具の使用者は、まず、座板に開脚した状態で座り、座板に設けられた第１の孔部に取り付けられた位置決め手段を用い、座板に対して両膝を位置決めしてその状態を保持する。すなわち、両膝が座板に対して位置決め固定される。
【００１１】
その際、座板が可撓性を有するので、使用者は、座板における体側（「たいそく」）がわの両端部を身体に向って適度に湾曲させる（反るように折り曲げる）ようにして、位置決め手段を両膝に近づけることができる。よって、使用者は、自身の股関節を過度に拡張させることなく、両膝を位置決め手段に固定させ得る。その後、座板から手を離すと、座板の湾曲状態を維持していた力が解放され、座板が元の平らな状態に復元しようとするので、使用者の両膝には、両脚を更に開脚させる方向に付勢力が働く。その結果、使用者は、両膝を固定するときに無理に大きく開脚するする必要がないので、その際の関節や筋肉等のケガを防止しつつ、股関節を適度な力で確実且つ安全に拡開させることができる。
【００１２】
また、座板には、第１の孔部とは異なる第２の孔部が形成されており、使用者は、その第２の孔部を把持することが可能である。そして、上述のとおり座板が可撓性を有するので、使用者が第２の孔部を把持して座板を身体側に引き寄せるように湾曲させ、その状態で上体を固定した後、座板を把持したまま力を解放すると、座板の復元力によって使用者の手腕が引っ張られる方向に付勢力が働く。その結果、使用者の体勢に応じて、使用者の上体の運動に携わる筋肉、腱、関節等を適度に伸張させることもできる。
【００１３】
なお、第２の孔部を利用したストレッチは、第１の孔部及び位置決め手段を利用した股関節のストレッチと同時に（一時に）実施してもよく、或いは、両者を独立して別々に（別時に）実施してもよい。また、第２の孔部を利用したストレッチによって伸張される筋肉、腱、関節等は、上体に属するものに限られない。すなわち、本発明の健康運動器具を用いると、上肢を含む上体の運動に携わるものであれば、下体に属する筋肉、腱、間接等に対しても、十分なストレッチ効果を得ることが可能となる。
【００１４】
より具体的には、位置決め手段としては、例えば、第１の孔部に挿通される、紐状のもの、帯状のもの、鎖状のもの等、使用者の両膝を座板に対して位置決め固定することができる適度の柔軟性を有する長尺部材、又は、そのような長尺部材を含むものが挙げられる。
【００１５】
また、第１の孔部としては、例えば、位置決め手段としての長尺部材が挿通される形状に穿設されており、座板において、使用者の座位状態における使用者の体側（脇側）に対向する部位（位置）に設けられたものが挙げられる。さらに、第２の孔部としては、例えば、座板において、使用者の座位状態における使用者の前方及び／又は後方に設けられたものが挙げられる。なお、第１の孔部の一部が第２の孔部を兼ねるように構成してもよい。また、第１の孔部及び第２の孔部は、使用者が素手で触れたときの安全性の観点から、孔の周部に適当な面取り加工や保護処理等の対策が施されていることが好ましい。
【発明の効果】
【００１６】
本発明によれば、座板に座った使用者が、座板を適度に湾曲させた状態で、無理することなく、両膝を位置決め手段に位置決め固定させた後、その座板の湾曲を解放させることにより、股関節を適度に拡開させて十分なストレッチ効果を得ることができる。また、それに加え、座板に形成された第２の孔部を利用することにより、同じ座板を使用して使用者の上体の運動に携わる筋肉、腱、関節等をストレッチすることもできるので、股関節以外の部位に対する汎用性を向上させることができる。さらに、これらの複数のストレッチ動作を、極めて簡易な器具構成によって手軽に達成することができるので、使用者によるストレッチ運動の継続を促進して使用者の更なる健康増進を図ることが可能となる。
【図面の簡単な説明】
【００１７】
【図１】本発明による健康運動器具の好適な一実施形態を示す斜視図であり、使用者が当該健康運動器具を使用している状態の一例を示す図である。
【図２】本発明による健康運動器具の好適な一実施形態を示す平面図である。
【図３】本発明による健康運動器具の好適な一実施形態を示す正面図であり、使用者が当該健康運動器具を使用している状態の他の一例を示す図である。
【図４】本発明による健康運動器具の好適な一実施形態を示す側面図であり、使用者が当該健康運動器具を使用している状態の更に他の一例を示す図である。
【発明を実施するための形態】
【００１８】
以下、本発明の実施の形態について詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。またさらに、必要に応じて示す上下左右等の位置関係は、特に断らない限り、図示の表示に基づくものとする。さらにまた、図面における各種の寸法比率は、その図示の比率に限定されるものではない。
【００１９】
図１は、本発明による健康運動器具の好適な一実施形態を示す斜視図であり、使用者が当該健康運動器具を使用している状態の一例を示す。また、図２は、本発明による健康運動器具の好適な一実施形態を示す平面図である。さらに、図３は、本発明による健康運動器具の好適な一実施形態を示す正面図であり、使用者が当該健康運動器具を使用している状態の他の一例を示す図である。同図に示す如く、健康運動器具１は、平面視において矩形又は略矩形をなす平板状部材から形成された座板２と、その座板２に取り付けられ且つ所定の幅を有する帯状部材から形成された位置決め手段としてのベルト３を備えたものである。
【００２０】
座板２は、その上に使用者Ｍが開脚した状態で座ることができる程度の大きさ（面積）に成形されている。また、座板２における平面視中央部よりも周縁部寄りには、複数の孔部２１ａ〜２４ａ，２１ｂ〜２４ｂ（何れも第１の孔部）が穿設されている。すなわち、座板２において、使用者Ｍの座位状態におけるその体側（脇側）に対向する部位に、第１の孔部としての複数の孔部２１ａ〜２４ａ，２１ｂ〜２４ｂが設けられている。
【００２１】
本実施形態においては、これらの複数の孔部２１ａ〜２４ａ，２１ｂ〜２４ｂは、座板２の上面に座った使用者Ｍの体側がわに、４行４列の形態で形成されている（ただし、これに限定されない。）。すなわち、座板２の短辺方向（図示ｙ方向）に沿って一定の間隔でそれぞれ連設された孔部２１ａ，２１ａ，２２ａ，２２ａ、孔部２３ａ，２３ａ，２４ａ，２４ａ、孔部２１ｂ，２１ｂ，２２ｂ，２２ｂ、孔部２３ｂ，２３ｂ，２４ｂ，２４ｂが、座板２の長辺方向（図示ｘ方向）に沿って列状に（４列に）設けられている。
【００２２】
さらに、これらの複数の孔部２１ａ〜２４ａ，２１ｂ〜２４ｂは、帯状のベルト３が挿通可能な大きさを有しており、例えば図１に示すように、一対のベルト３，３が、それぞれ一対の孔部２１ａ，２１ａ及び孔部２１ｂ，２１ｂに挿通され、環状に取り付けられる。なお、図示を省略したが、ベルト３は、環状に取り付けられた状態の「輪」の長さが調節可能なように構成されており、そのための機構としては、例えば、パンツやスラック用ベルトと同等のアジャスターを用いた構成や、ベルト３自体を面ファスナー、或いは、ゴム等の弾性部材で構成するといった例が挙げられる。
【００２３】
また、座板２において、孔部２１ａ〜２４ａ，２１ｂ〜２４ｂよりも長辺に近い位置には、一対の孔部２５ａ，２５ｂ（第２の孔部）が穿設されている。すなわち、座板２において、使用者Ｍの座位状態におけるその前方及び／又は後方に、孔部２５ａ，２５ｂが設けられている（なお、本実施形態の図１お呼び図２においては、孔部２５ａ，２５ｂが使用者Ｍの前方に配される状態を示す。）。これらの孔部２５ａ，２５ｂは、使用者Ｍが座板２に座った状態において把持することが可能な大きさ及び形状を有している。
【００２４】
ここで、座板２は、ポリカーボネート等の樹脂から形成されており、座板２上に座った状態の使用者Ｍが、座板２における体側がわの両端部２ａ，２ｂを、使用者Ｍの身体に向って適度に湾曲させる（折り曲げる）ことができる適度の可撓性を有している。その座板２の曲げ強度は、その材質と厚さに依存し得るものの、例えば、使用者Ｍの力によって、座板２の両端部２ａ，２ｂが水平面から鉛直方向に数ｃｍ〜数十ｃｍ程度曲がる程度の可撓性に応じた強度が挙げられる。
【００２５】
このように構成された健康運動器具１を使用する手順は、例えば以下のとおりである。まず、健康運動器具１を床面Ｆ等の平坦な場所に載置し、その座板２面上に座り、両足Ｍａ，Ｍａの足裏を合わせるようにして楽な状態で両脚を開脚する。それから、座板２の両端部２ａ，２ｂの何れか一方を掴み（把持し）、その部位を持ち上げる（座板２を図示ｚ方向上向きに湾曲させる）ようにして、一方のベルト３を自分の身体（膝Ｍｈ）に近づける。その状態で、一方の膝Ｍｈを、そのベルト３の輪の中に挿入し、ベルト３の長さを調節して（ベルト３が弾性部材の場合、調節は不要；以下同様）、その膝Ｍｈを座板２に対して位置決め固定する。
【００２６】
次いで、同様にして、座板２の両端部２ａ，２ｂの他方を掴んで持ち上げてもう一方のベルト３を自分の身体（膝Ｍｈ）に近づける。その状態で、もう一方の膝Ｍｈを、そのベルト３の輪の中に挿入し、ベルト３の長さを調節して、その膝Ｍｈを座板２に対して位置決め固定する。
【００２７】
こうして両膝Ｍｈ，Ｍｈを座板２に対して位置決め固定した後、座板２から手を離すと、座板２を湾曲させていた力が解放されるので、座板２は元の平らな状態に復元しようとして、両端部２ａ，２ｂが、床面Ｆへ近づくように変位する。これにより、使用者Ｍの両膝Ｍｈ，Ｍｈには、両脚を更に開脚させる方向に付勢力が働き、使用者Ｍの股関節がストレッチ（伸張）された状態が維持される。
【００２８】
すなわち、図３において模式的に示す如く、使用者Ｍが両膝Ｍｈ，Ｍｈをベルト３，３によって位置決め固定する際には、図示一点鎖線で示すとおり、座板２の湾曲（反り）は比較的大きく、且つ、使用者Ｍの股関節の開度は比較的小さい。一方、両膝Ｍｈ，Ｍｈをベルト３，３によって位置決め固定した状態から両端部２ａ，２ｂの支えを外すと、図３において実線で示すとおり、座板２の湾曲（反り）は比較的小さくなり、且つ、使用者Ｍの股関節の開度が比較的大きくなる（図１に示す状態も同様である。）。このとき、座板２が床面Ｆに完全に接することなく、僅かでも湾曲して（反って）両端部２ａ，２ｂが床面Ｆから浮いた状態が保持されていれば、使用者Ｍの股関節のストレット状態が確実に維持される。
【００２９】
なお、図１及び図３に示す状態でのストレッチは、使用者Ｍの脚の軸を内側に回転させたいわゆる内旋（ニーストラドル）状態でのストレッチであり、使用者Ｍは、両膝Ｍｈ，Ｍｈを床面Ｆ側に押しつけたり床面Ｆから離したりして、上下運動させることもできる。また、図１及び図３に示す状態で何れか一方の腕を頭にのせて上体を横に倒したり、或いは、図１及び図３に示す状態から一方の膝Ｍｈの位置決めを外して側方に伸ばした状態で脚を曲げた方の腕を頭にのせて上体を横に倒したりしてもよい。その場合、股関節に加えて内転筋のストレット（いわゆるサイドストレッチ）を行うこともできる。
【００３０】
また、上述したような両膝Ｍｈ，Ｍｈの位置決め固定による股関節のストレッチと同時に、又は、股関節のストレッチとは別に、使用者Ｍは、孔部２５ａ，２５ｂを利用したストレッチを行うことができる。ここで、図４は、本発明による健康運動器具の好適な一実施形態を示す側面図であり、使用者が当該健康運動器具を使用している状態の更に他の一例を示す図である。同図に示す如く、使用者Ｍが座板２面上に座った状態で、座板２の前方縁部にある孔部２５ａ，２５ｂを掴み（把持し）、その部位を身体側に引き寄せるように持ち上げる（座板２を図示ｚ方向上向きに湾曲させる）。その状態を保持するように上体を固定している間、力が入っている身体部位の筋肉は収縮している。
【００３１】
その後、座板２を把持したまま（例えばやや前屈した体勢を維持しつつ）力を解放すると、座板２が平らに戻ろうとする復元力によって、使用者Ｍの手腕が引っ張られる方向に付勢力が働く。その結果、使用者Ｍの体勢に応じて、使用者Ｍの上体の運動に携わる筋肉、腱、関節等が適度に伸張されることにより、かかる部位のストレッチが行われる。
【００３２】
このように構成された健康運動器具１によれば、座板２に座った使用者Ｍが、座板２を適度に湾曲させた状態で、両膝Ｍｈ，Ｍｈのそれぞれをベルト３に位置決め固定させた後、その座板２の湾曲を解放させることにより、股関節を適度に拡開させて十分なストレッチ効果を得ることができる。そのとき、使用者Ｍは、両膝Ｍｈ，Ｍｈをそれぞれ固定する際に無理に大きく開脚するする必要がないので、関節や筋肉等に過度の負荷をかけてしまうことに起因するケガの発生を防止することができる。
【００３３】
また、座板２に形成された孔部２５ａ，２５ｂを利用することにより、同じ座板２を使用して使用者Ｍの上体の運動に携わる筋肉、腱、関節等をストレッチすることもできるので、股関節以外の部位に対する汎用性を向上させることができる。さらに、これらの複数のストレッチ動作を、極めて簡易な器具構成によって手軽に実施することができるので、使用者Ｍによるストレッチ運動の継続を促進して使用者Ｍの更なる健康増進を図ることが可能となる。
【００３４】
なお、上述したとおり、本発明は、上記の実施の形態、及び、既に述べた変形例に限定されるものではなく、その要旨を逸脱しない範囲内において様々な変形が可能である。すなわち、上記実施形態はあらゆる点で単なる例示にすぎず、限定的に解釈されるものではない。
【００３５】
例えば、第１の孔部である孔部２１ａ〜２４ａ，２１ｂ〜２４ｂの何れかを第２の孔部として用いることができるように形成してもよい。この場合、一例として、孔部２２ａ，２２ｂ，２４ａ，２４ｂを、使用者Ｍが座板２に座ったときにその前方側に位置するように形成し、使用者Ｍがそれらの孔部２２ａ，２２ｂ，２４ａ，２４ｂを、孔部２５ａ，２５ｂの代わりに用いる形態が挙げられる。また、座板２の両端部２ａ，２ｂに、使用者Ｍが把持することができる孔部を設けてもよく、それらにより、両膝Ｍｈ，Ｍｈをベルト３に位置決め固定するときに、座板２を掴んで湾曲させ易くなる。また、使用者Ｍが把持することができる観点から、それらの両端部２ａ，２ｂに設けた孔部を、第２の孔部として用い、使用者Ｍの体側のストレッチに活用してもよい。
【００３６】
さらに、第２の孔部である孔部２５ａ，２５ｂを、座板２の隅部（コーナー部）に設けてもよく、例えば、座板２に座った使用者Ｍの後ろ側の隅部に第２の孔部を穿設し、使用者Ｍが後方に手腕を伸ばしてそれらの第２の孔部を把持して座板２を持ち上げるように湾曲させてストレッチを行うこともできる。
【００３７】
またさらに、ベルト３を取り付ける孔部は、孔部２１ａ〜２４ａ，２１ｂ〜２４ｂの何れでも構わず、また、孔部２１ａ〜２４ａ，２１ｂ〜２４ｂを全て設ける必要もない。さらにまた、座板２の形状は、平面視矩形に限られず、例えば、平面視円形であってもよいし、中央部の幅（ｙ方向長さ）が両端部２ａ，２ｂの幅よりも小さいような形状であってもよい。このように座板２の形状を変えることによって、座板２の両端部２ａ，２ｂを掴んで湾曲させるときの曲げ強度を調整することもできる。加えて、座板２の上面にクッション機能、滑り止め機能、撥水機能等を付与する加工を行ってもよく、或いは、かかる機能を有する部材を設けたり積層したりしてもよい。
【産業上の利用可能性】
【００３８】
以上説明したとおり、本発明の健康運動器具は、使用者の股関節に対する十分なストレッチ効果を安全に得ることができ、且つ、汎用性にも優れ、これらにより、健康増進を更に図ることができるので、人体の運動に関連する機器、設備、システム、及びそれらの製造、並びに、それらを用いた役務サービスの提供や産業等の活動に、広く且つ有効に利用することができる。
【符号の説明】
【００３９】
１：健康運動器具
２：座板
２ａ，２ｂ：座板の端部
３：ベルト（位置決め手段）
２１ａ〜２４ａ，２１ｂ〜２４ｂ：孔部（第１の孔部）
２５ａ，２５ｂ：孔部（第２の孔部）
Ｆ：床面
Ｍ：使用者
Ｍａ：足
Ｍｈ：膝
【要約】
【課題】股関節に対する十分なストレッチ効果を安全に得ることができ、汎用性にも優れる健康運動器具を提供する。
【解決手段】本発明による健康運動器具１は、使用者Ｍが開脚した状態で座るための座板２と、使用者の両膝Ｍｈ，Ｍｈを座板２に対して位置決め固定するための位置決め手段の一例としてのベルト３を備える。また、座板２は、可撓性を有しており、且つ、ベルト３が取り付けられる第１の孔部としての孔部２１ａ〜２４ａ，２１ｂ〜２４ｂ、及び、使用者Ｍが把持することが可能な第２の孔部としての孔部２５ａ，２５ｂを有している。
【選択図】図１【図１】
0005547845.tif 000002
【図２】
0005547845.tif 000003
【図３】
0005547845.tif 000004
【図４】
0005547845.tif 000005